(57)【要約】 【課題】泥棒が用いるドリル、バール等の暴力的破壊行為に対してストライクの開口窓の左右縁部を十分に守ることができる引戸用錠前を提案すること。【解決手段】外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、受け金具の機能を有する外側ケース部材３のケース本体４とストライクとの内部空間に、該ストライクの開口窓３８の左右縁部を左右の足部４５ｃ．４５ｃで支えるようにストライク用補強板体を固定的に内装したこと。【選択図】  図１
2005200881.tif 000002
【特許請求の範囲】
【請求項１】
外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、前記受け金具の機能を有する外側ケース部材３のケース本体４とストライク（７．７Ａ）との内部空間に、該ストライクの開口窓３８の少なくとも左右縁部を左右の足部４５ｃ．４５ｃで支えるようにストライク用補強板体（４５．４５Ａ）を固定的に内装したことを特徴とする引戸用錠前。
【請求項２】
請求項１に於いて、補強板体（４５．４５Ａ）は、浸炭焼き入れをした硬質のプロテクターであることを特徴とする引戸用錠前。
【請求項３】
請求項１に於いて、補強板体は、ケース本体４の奥の垂直壁４ｃの内壁面に接合する腰部４５ａと、腰部４５ａの左右辺からそれぞれストライク７側に延びる左右一対の脚部４５ｂ、４５ｂと、これらの板状脚部４５ｂ、４５ｂの先端部から延びかつストライク７の開口窓３８の縁部の裏面に面接合する一対の足部４５ｃ．４５ｃとから成ることを特徴とする引戸用錠前。
【請求項４】
請求項１に於いて、鎌片２３の中間部２３ｂは、軸孔３３及び係合孔２６を有する幅広後端部２３ａからやや扇状に形成されていると共に、前記固定支軸２４を中心とする円弧上に弧状外周面２７を有し、該鎌片２３は、施錠時、内側ケース部材のフロント板１６の鎌片用開口縁部１９ｂと前記弧状外周面２７との間に略間隙が生じないように軸支されていることを特徴とする引戸用錠前。
【請求項５】
請求項１に於いて、外側引戸１が戸枠であり、一方、内側引戸１１が戸枠に衝突する戸先錠用の引戸であることを特徴とする引戸用錠前。
【発明の詳細な説明】
【技術分野】
【０００１】
本発明は、戸先錠、引き違い戸錠などの引戸用錠前に関する。
【背景技術】
【０００２】
普通一般に、引戸用錠前は、引戸に設けられたサムターン側の錠本体から鎌片を回動突出させ、戸枠又は相手側引戸に設けられた受け金具のストライク（係合板）に係合させることで、引戸の開放を不能する。従来、戸先錠、引き違い戸錠などと称される引戸用錠前を構成する受け金具は、凹所を有するトロヨケと、このトロヨケを覆い、鎌片用のカマ進入穴（開口窓）を有するストライクとから構成されている。
【０００３】
ところで、施錠時、前記ストライクの裏面縁部には、鎌片が繰り返し回動掛合することから、引用文献１では、カマ錠との係合強度、経年劣化時のメンテナンス性、及び防犯性を高めることのできる引戸用受け金具が提案されている。この引用文献１の受け金具は、トロヨケと、カマ係合金具と、ストライクとが別体に形成されており、カマ係合金具がトロヨケの凹部に収容されると共に、ストライクがトロヨケと共に固定されることで、例えば縦枠に取り付けられる。
【０００４】
従って、引用文献１では、それぞれの部材が、その部材の用途に適した最適な材料、或いは仕上げで製作可能になるという利点があるものの、ストライクの開口窓の左右縁部はＵ字型突起の係合部を有するカマ係合金具で補強されていないので、泥棒が用いるドリル、バール等の暴力的破壊行為に対しては万全ではなかった。
【０００５】
また、特許文献２には、受け金具のストライクの係合部の上方部分に生じる曲げモーメントを小さくするために、トロヨケ内に固着手段を介して板状のバックアップ部材を配設する構成が提案されている。しかし、特許文献２もストライクの開口窓の左右縁部が補強されていないので、引用文献１と同様に解決すべき問題点を有していた。
【特許文献１】特許公開２００２−３１３１１６号公報
【特許文献２】特許公開２００２−２０１８２９号公報
【発明の開示】
【発明が解決しようとする課題】
【０００６】
本発明の第１の目的は、従来の引戸用錠前の問題点に鑑み、泥棒が用いるドリル、バール等の暴力的破壊行為に対してストライクの開口窓の左右縁部を十分に守ることができる引戸用錠前を提案することである。第２の目的は、補強板体の防御機能を十分に発揮させることができることである。その他付随的な目的として、強靭な外側ケース部材を備えた引戸用錠前を提案すること、鎌片の中間部の外周面とフロント板の開口の縁部との間の間隙から攻撃され難い引戸用錠前を提案することなどである。
【課題を解決するための手段】
【０００７】
本発明の引戸用錠前は、外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、前記受け金具の機能を有する外側ケース部材３のケース本体４とストライク（７．７Ａ）との内部空間に、該ストライクの開口窓３８の少なくとも左右縁部を左右の足部４５ｃ．４５ｃで支えるようにストライク用補強板体（４５．４５Ａ）を固定的に内装したことを特徴とする。
【０００８】
上記構成に於いて、補強板体（４５．４５Ａ）は、浸炭焼き入れをした硬質のプロテクターであることを特徴とする。また、補強板体は、ケース本体４の奥の垂直壁４ｃの内壁面に接合する腰部４５ａと、腰部４５ａの左右辺からそれぞれストライク７側に延びる左右一対の脚部４５ｂ、４５ｂと、これらの板状脚部４５ｂ、４５ｂの先端部から延びかつストライク７の開口窓３８の縁部の裏面に面接合する一対の足部４５ｃ．４５ｃとから成ることを特徴とする。
【発明の効果】
【０００９】
（１）請求項１に記載の発明は、泥棒が用いるドリル、バール等の暴力的破壊行為に対してストライクの開口窓の少なくとも左右縁部を十分に守ることができる。
（２）請求項３に記載の発明は、補強板体の防御機能を十分に発揮させることができる。
（３）請求項４に記載の発明は、鎌片の中間部の外周面とフロント板の開口の縁部との間の間隙から攻撃され難い。
【発明を実施するための最良の形態】
【００１０】
以下、図１乃至図８に示す本発明の第１実施例を説明する。この第１実施例の錠前Ｘは、引き違い戸に取付けられているが、引戸全般に適宜に取付けても良い。
【００１１】
Ｘは引戸用錠前、１は外側引戸、２は外框、３はストライク機能を有する外側ケース部材、一方、１１は内側引戸、１２は内框、１３は内側ケース部材である。まず、これらの基本的な構成部材を中心に説明し、次に、本発明の主要部である外側ケース部材３のストライク用補強板体４１について説明する。
【００１２】
（１）引戸用錠前Ｘ
図１で示すように、本実施例の引戸用錠前Ｘは、少なくとも外側引戸１の外框２に取付けられる外側ケース部材３と、内側引戸１１の内框１２に取付けられる内側ケース部材１３と、該内側ケース部材１３に設けられ、かつ、鎌片を備えた内側錠機構１４とから構成されている。外側ケース部材３は、シリンダー錠、動力伝達部材等の外側錠機構を有しない。したがって、本実施例の外側ケース部材３は、トロヨケ、ストライク等を備えた鎌片用の受け金具である。
【００１３】
（２）外側ケース部材３
外側ケース部材３は、外框２の開口部に内装される一側面開口のケース本体４と、このケース本体４の屋外側端面あるいは壁面の硬質防御裏板５を介して外框２に固定される外側化粧板６と、ケース本体４の内側引戸１１側に位置し、かつ、該ケース本体４の開口端面に固定されるストライク７から構成されている。外側ケース部材３を構成するケース本体４、硬質防御裏板５、外側化粧板６、ストライク７は、その形状如何を問わず、外側引戸1(外框２)に取付けられる一つのユニットを構成する。
【００１４】
本実施例では、前記硬質防御裏板５とストライク７は、浸炭焼き入れされている。外側化粧板６は、内壁面の上下端部に水平メネジ杆６ａ，６ａを有し、これらの水平メネジ杆６ａ，６ａにストライク７の上下端部の取付け孔を貫通する固着具８、８が螺合する。ストライク７の構成及びケース本体４に固定的に内装されるストライク用補強板体、ストライク用固定手段等については後述する。
【００１５】
（３）内側ケース部材１３
一方、内側ケース部材１３は、内框１２の開口部に内装されるケース本体１５と、ケース本体１５の屋外側端面或いは壁面の硬質防御フロント板１６と、ケース本体１５の室内側の端面あるいは壁面に固着具１７を介して固定される内側カバー(通称、「内側エスカチオン」)１８とから構成されている。内側ケース部材１３を構成するケース本体１５、硬質防御フロント板１６、内側カバー１８は、その形状如何を問わず、内側引戸１１(内框１２)に取付けられる一つのユニットを構成する。本実施例では、前記硬質防御フロント板１６も浸炭焼き入れされている。
【００１６】
しかして、内側ケース部材１３（硬質防御フロント板１６及びケース本体１５）の下端部には、後述する鎌片２３が出入りする鎌片用開口１９が形成されている。開口１９は矩形状である。
【００１７】
なお、内側カバー(内側エスカチオン)１８は、内壁面の上下端部に水平メネジ杆１８ａ，１８ａを有し、これらの水平メネジ杆１８ａ，１８ａにフロント板１６の上下端部の取付け孔を貫通する固着具２０、２０が螺合する。
【００１８】
（４）内側錠機構１４
内側錠機構１４は、少なくとも内側カバー１８の中央部に上下方向にスライド自在に設けられた操作部（本実施例ではサムターン摘み部材）２１と、この操作部２１の操作力により上下動するようにケース本体１５内に設けられた適宜形状の作動板２２と、この作動板２２の一端部に軸支された鎌片２３とを備えている。
【００１９】
（５）鎌片２３
鎌片２３は、ケース本体１５に横設軸架された固定支軸２４に軸支され、かつ、作動板２２の作動軸２５が係合するＴ字型状の係合孔２６を有する幅広後端部２３ａと、この幅広後端部２３ａにやや扇状に連設しかつ前記固定支軸２４を中心とする円弧上に弧状外周面２７を有する中間部２３ｂと、この中間部２３ｂに連設し、かつ、前記弧状外周面２７と同一曲率（略同一に連続する場合も含む）で連続する弧状外周面２８を有する指先状先端部２３ｃとから構成されている。
【００２０】
しかして、鎌片２３は、図４で示すように硬質防御のフロント板１６の開口１９の左右の縁部１９ａ、１９ａと左右の掛合片２９，２９との間にそれぞれ略間隙を生じないように合計４枚の掛合片を一体的に結合している。また、鎌片２３の中間部２３ｂの弧状外周面２７は、施錠時、開口１９の一方の縁部（図２では下方の縁部）１９ｂと略間隙を生じないように形成されている。ここで、「間隙を生じない」とは、泥棒が用いるドリル又はバールが容易に差し込むことができない隙間の意味合いである。したがって、例えば鎌片２３の中間部２３ｂの弧状外周面２７とフロント板１６の開口１９の縁部１９ｂとの間に５ｍｍとか、或いは６ｍｍの間隙が存在する場合には、ドリル、バールの先端部の差込みが容易になる可能性があるので、このような場合には間隙を生じないとは言わない反面、例えば２ｍｍや３ｍｍ程度は許容範囲である。
【００２１】
（６）クリックバネとバネ受け
本実施例の鎌片２３は、クリックバネ３１とバネ装着軸３２を備えている。鎌片２３の左右の掛合片２９，２９の間に介在する２枚の中間の掛合片３０，３０には、固定軸用軸孔３３や係合孔２６を有する後端部２３ａが設けられていない。すなわち、中間の掛合片３０の後端部２３ａは適宜にカットされている。
【００２２】
そこで、前記バネ装着軸３２用の支持孔３４が、前記左右の掛合片２９，２９の後端部２３ａと中間部２３ｂの境目部分に形成され、該支持孔３４に嵌挿されたバネ装着軸３２には、一端部３１ａが中間掛合片３０に圧接すると共に、他端部３１ｂが作動軸２５に圧接するクリックバネ３１が巻装されている。
【００２３】
（７）ストライク７
外側ケース部材３の長箱状ケース本体４の一側面は、図５で示すように開口３６している。このケース本体４の開口端面３６ａに縦長状のストライク７がストライク用固定手段５０を介して固定的に取付けられる。ストライク７が開口端面３６ａに固定されると、固着具８用の貫通孔３７．３７を有する両端部は、図１で示すようにケース本体４の上壁４ａと下壁４ｂから突出する。
【００２４】
しかして、３８はストライク７の一端部寄りの部位に打ち抜き形成された開口窓で、この開口窓３８を形成する左右の縁部には、内側に折り曲げ形成された傾斜突片３９．３９が設けられている。左右１対の突片３９．３９は、施錠時、掛合方向へと回転する鎌片２３をキャッチすることができるように「ハの字型」に対向している。また、ストライク７の上下の貫通孔３７．３７寄りの部位には、左右１対の貫通小孔４０．４０を有する凹所４１．４１がそれぞれ形成されている。
【００２５】
（８）ストライク用補強板体
ストライク７の開口窓３８の縁部を補強するストライク用補強板体４５は、本実施例ではストライク７とは別体であり、上下端面が「ハット形状」に形成されている。本実施例の補強板体４５は、浸炭焼き入れをした硬質のプロテクターである。
【００２６】
図５は補強板体４５を含む斜視図、図６はケース本体４の開口端面３６ａ側らみた正面図、図７は正面図を基準にした平面図、図８は図６のＡ−Ａ線断面図である。補強板体４５を人体の腰、脚、足に例えて説明する。
【００２７】
図５を基準にして説明すると、４５ａは台形の板状腰部で、この腰部４５ａはケース本体４の奥の垂直壁４ｃの内壁面に面接合する。腰部４５ａは中央部に硬質防御板５及び外側化粧板６に形成した取付け孔と符合する固着具用取付け孔４６を有する。
【００２８】
４５ｂ、４５ｂは、腰部４５ａの左右辺からそれぞれ直交してストライク７側に延びる左右一対の板状脚部で、これらの板状脚部４５ｂ、４５ｂは、「ハの字型」に対向傾斜している。板状脚部４５ｂ、４５ｂの傾斜角度は、ストライク７の傾斜突片３９．３９に対応している。各部材を結合した時、補強板体４５の板状脚部４５ｂ、４５ｂは傾斜突片３９．３９を面接触状態で挟む格好になるので、板状脚部４５ｂ、４５ｂの内壁面は傾斜突片３９．３９の壁面と面接触する。４５ｃ．４５ｃは板状脚部４５ｂ、４５ｂの先端部から直交して外方向に延びる左右一対の板状足部で、足の裏に相当するこれら左右の板状足部４５ｃ．４５ｃはストライク７の開口窓３８の縁部（本実施例では傾斜突片３９．３９の周り）に面接合する。４７は補強板体４５用の固着具である。
【００２９】
なお、板状足部４５ｃ．４５ｃはやや傾斜状に四角形に形成されているが、形状や傾斜角度は任意に設計変更可能である。したがって、本発明の目的を達成するために、例えば板状足部４５ｃ．４５ｃを傾斜突片３９．３９の周り全体を囲むことができるように環状或いは環状的に形成しても良い。
【００３０】
（９）ストライク用固定手段
ストライク用固定手段５０は、本実施例では、ケース本体４の上壁４ａと下壁４ｂにそれぞれ固定され、かつ、左右にメネジを有する上下１対の固定ブロック５０ａ．５０ａと、これらの固定ブロック５０ａ．５０ａの前記左右にメネジ５１．５１にそれぞれ螺合するストライク用の複数本のオネジ５２．５２とから成る。
【実施例】
【００３１】
本発明の第１実施例の錠前Ｘは、引き違い戸に取付けられているが、引戸全般に適宜に取付けても良い。例えば錠前Ｘが戸先錠である場合には、戸枠に外側ケース本体のケース本体が組み込まれ、該ケース本体内にストライク用補強板体が固定的に設けられる（この場合には外側化粧板は不要である）。
【００３２】
また、第１実施例の外側ケース部材３には、シリンダー錠、動力伝達部材、回転式施錠片等の外側錠機構を有しないが、もちろん、外側ケース部材３に対して、合鍵によって作動するシリンダー錠と、シリンダー錠の出力軸に固定したピニオン及び該ピニオンに噛合するようにケース本体４内に縦方向に配設されたラックとを備えた動力伝達部材と、この動力伝達部材の適宜箇所に固定された突起軸及び該突起軸と係合する係合する係合孔を有し、かつ、内側ケース部材に係合する回転式施錠片とから成る外側錠機構を設けても良い。この実施例の場合には、外側ケース部材３のストライク７及び内側ケース部材１３のフロント板１６の対向部分に回転式施錠片が出入りする開口部を設けるか必要性があるので、該開口部からドリル、バール等の工具が侵入されないように防御壁を適宜に形成或いは設けるのが望ましい。
【００３３】
また、内側ケース部材１３の内側錠機構１４の作動板２２は、操作部材２１の操作力により上下動するが、引戸、錠前、操作部材等の取付け仕様如何によって、内側シリンダー錠に置換することもできる。さらに、主要部の補強板体４５は、上下端面が「ハット形状」に形成されているが、少なくとも上端面が「ハット形状」に形成されていれば良い。
次に、第２実施例を説明する。なお、この第２実施例の説明に当たっては、重複説明を回避するために第1実施例の符号を便宜上援用する。第２実施例は、ストライク用補強板体４５Ａの板状足部４５ｃ．４５ｃをストライク７Ａの開口窓３８の縁部裏面に一体的に設けた点が相違する。第１実施例の補強板体４５が取付け孔４６を貫通してケース本体４或いは外側化粧板６に螺合する固着具４７を介して外側ケース部材３に固定されているのに対し、第２実施例の補強板体４５Ａは、溶着或いは係止構造により、予めストライク７Ａの開口窓３８の縁部裏面に固定的に設けられている。
【００３４】
したがって、第２実施例の浸炭焼き入れが施された硬質補強板体４５Ａは、第１実施例のように補強板体用の固着具や取付け孔は不要である。要は、ストライク用補強板体（４５．４５Ａ）は、ケース本体４とストライク（７．７Ａ）との内部空間に固定的に内装され、前記ストライクの開口窓３８の縁部を工具によって容易に変形ないし破壊されないように左右の足部４５ｃ．４５ｃで支えていれば良い。
【００３５】
このように構成すると、第１実施例と同一の作用・効果を得ることができると共に、錠前Ｘの取り付けの際、補強板体の位置決めや固着の作業を省けるので、ストライク用補強板体４５Ａを外側ケース部材３簡単に固定することができるという利点がある。
【産業上の利用可能性】
【００３６】
本発明は、引き違い戸、引き分け戸、戸枠に衝突する戸先型などの引戸用錠前に利用される。
【図面の簡単な説明】
【００３７】
図１乃至図８は本発明の第１実施例を示す各説明図。図９及び図１０は本発明の第２実施例を示す各説明図。
【図１】第１実施例の全体の概略断面説明図。
【図２】主要部の概略断面説明図。
【図３】鎌片の正面からの説明図。
【図４】図３を基準にした左側面からの説明図。
【図５】分解斜視図。
【図６】補強板体の正面図。
【図７】補強板体の正面図を基準にした平面図。
【図８】図６のＡ−Ａ線断面図。
【図９】第２実施例の全体の概略断面説明図。
【図１０】分解斜視図。
【符号の説明】
【００３８】
Ｘ…引戸用錠前、１…外側引戸、２…外框、３…外側ケース部材、４…ケース本体、４ａ…上壁、４ｂ…下壁、４ｃ…垂直壁、５…硬質防御裏板、６…外側化粧板、７、７Ａ…ストライク、８、１７、２０…固着具、１１…内側引戸、１２…内框、１３…内側ケース部材、１４…内側錠機構、１５…ケース本体、１６…フロント板、１８…内側カバー、１９…鎌片用開口、１９ａ…左右の縁部、１９b…一方の縁部、２１…操作部材、２２…作動板、２３…鎌片、２３ａ…幅広後端部、２３ｂ…中間部、２３ｃ…指先状先端部、２４…固定支軸、２５…作動軸、２６…係合孔、２７…中間部の弧状外周面、２８…先端部の弧状外周面、２９…左右の掛合片、３０…中間掛合片、３１…クリックバネ、３２…バネ装着軸、３６…開口、３７…貫通孔、３８…開口窓、３９…突片、４０…貫通小孔、４１…凹所、４５、４５Ａ…補強板体、４５ａ…腰部、４５ｂ…脚部、４５ｃ…足部、４７…固着具、５０…ストライク用固定手段、５１…メネジ、５２…オネジ。
【図１】
2005200881.tif 000003
【図２】
2005200881.tif 000004
【図３】
2005200881.tif 000005
【図４】
2005200881.tif 000006
【図５】
2005200881.tif 000007
【図６】
2005200881.tif 000008
【図７】
2005200881.tif 000009
【図８】
2005200881.tif 000010
【図９】
2005200881.tif 000011
【図１０】
2005200881.tif 000012